(57)【要約】【課題】  高額化対応の機能や互換性の向上を図る。【解決手段】  偏心カム部５８を有し回転操作ダイヤル１２Ａの操作により回転されるラチェットカム部材５５と、偏心カム部と係合されるカム部５９が形成されるとともに硬貨蓄積空間部６０が形成されラチェットカム部材を介してスライド動作される硬貨収納カム部材５１と、この硬貨収納カム部材のスライド動作を規制するロック部材５２と、硬貨蓄積空間部の底部する硬貨受け部材５３とを備え、硬貨収納カム部材が硬貨蓄積空間部に蓄積した規定枚数の硬貨３をキーとしてロック部材によるロック動作を解除され、硬貨受け部材を介して硬貨収納を行う。【選択図】図６
2009223667.tif 000002
【特許請求の範囲】
【請求項１】
正規の硬貨投入に基づいて商品取出操作部材のロック状態を解除し、上記商品取出操作部材の操作によって駆動される送出機構により商品収納部に収納した商品の送出動作が行われるようにする硬貨メカニズムユニット装置であり、
偏心カム部を有し、上記商品取出操作部材の操作により回転される駆動カム部材と、
上記駆動カム部材の上記偏心カム部と係合されるカム部が形成されるとともに硬貨蓄積空間部が形成され、上記商品取出操作部材の操作により上記駆動カム部材を介してスライド動作される硬貨収納カム部材と、
上記硬貨収納カム部材の上方に位置して揺動自在に配置され、上記硬貨収納カム部材と係合することにより上記商品取出操作部材の操作に基づくスライド動作を不能状態とするロック部を有するロック部材と、
上記硬貨収納カム部材の上記硬貨蓄積空間部の底部を構成して揺動自在に設けられ、上記ロック部材によるロック状態を解除されて上記硬貨収納カム部材がスライド動作することにより上記硬貨蓄積空間部に蓄積された規定枚数の硬貨を支持して硬貨収納部へと導くとともに、硬貨返却操作部材の操作により回動動作することにより上記硬貨蓄積空間部の底部を開放して蓄積した硬貨を硬貨返却部へと導く硬貨受け部材とを備え、
上記硬貨収納カム部材が、上記硬貨蓄積空間部に規定枚数の硬貨を蓄積した状態で上記商品取出操作部材の操作に基づいてスライド動作することにより、上記蓄積硬貨による上記ロック部材の押上げ動作が行われて上記ロックカム部によるロック状態が解除されることを特徴とする硬貨メカニズムユニット装置。
【請求項２】
上記駆動カム部材は、外周部にラチェット歯が形成されるとともに側面部に回転中心から偏心した位置を中心とする円形の上記偏心カム部を形成してなり、上記商品取出操作部材の操作により回転されるラチェットカム部材であり、
上記ラチェット円板部材の外周部に、先端爪部が噛合習性を付与されて上記ラチェット歯と噛合するラチェットレバー部材を設けて一定方向にのみ回転されることにより、上記商品取出操作部材が一方向にのみ回転操作されるように規制することを特徴とする請求項１に記載の硬貨メカニズムユニット装置。
【請求項３】
上記硬貨収納カム部材は、上記硬貨蓄積空間部が規定枚数の硬貨を厚み方向に重ね合わせて収納する筒状に形成され、上記硬貨受け部材に設けた高さ調整機構により蓄積する硬貨の規定枚数が可変されることを特徴とする請求項１又は請求項２に記載の硬貨メカニズムユニット装置。
【請求項４】
上記ロック部材には、上記硬貨収納カム部材の上記硬貨蓄積空間部内に硬貨を導く硬貨ガイド孔が形成されるとともに、揺動支点と対向する自由端側に上記ロック部を上記硬貨収納カム部材側に付勢して係合習性を付与する重りが設けられることを特徴とする請求項１乃至請求項３のいずれか１項に記載の硬貨メカニズムユニット装置。
【請求項５】
上記硬貨受け部材は、一方側に硬貨収納部と連通する第１傾斜面部を形成するとともに他方側に硬貨返却部と連通する第２傾斜面部を形成して揺動自在に支持される硬貨受けフレーム部材と、この硬貨受けフレーム部材の上記第１傾斜面部と上記第２傾斜面部との間に上記硬貨収納カム部材の上記硬貨蓄積空間部の底部と対向して着脱自在に組み合わされて硬貨を受け止めることにより蓄積枚数を規定する蓄積枚数規定部材とから構成され、
上記蓄積枚数規定部材が、上記硬貨受けフレーム部材との組合せ支点からの高さを異にする複数の受止め部を形成した多角形のブロック体からなり、上記受止め部を選択して上記硬貨受けフレーム部材に組み合わせることにより上記硬貨収納カム部材の上記硬貨蓄積空間部に蓄積する硬貨の枚数を規定することを特徴とする請求項１乃至請求項４に記載の硬貨メカニズムユニット装置。
【請求項６】
自動販売機本体に付設され、正規の硬貨投入に基づいて商品取出操作部材のロック状態を解除し、上記商品取出操作部材の操作によって駆動される送出機構により商品収納部に収納した商品の送出動作が行われるようにする硬貨メカニズムユニット装置であり、
第１シャーシ基板と、この第１シャーシ基板の幅方向の両側縁部に沿ってそれぞれ直交状態に相対して設けられた第１側板及び第２側板と、上記第１シャーシ基板に上部領域を開放し下部領域にメカニズム組付空間部を構成して相対して設けられた第２シャーシ基板とによりフレーム体を構成し、
上記フレーム体に対して、上記第１シャーシ基板の側面を開放された上部領域に硬貨選別ユニットが組み付けられるとともに、上記第１シャーシ基板の外側面に貫通された上記送出機構の駆動軸に偏心カム部が形成された駆動カム部材を設け、
上記メカニズム組付空間部内に、
上記駆動カム部材の上記偏心カム部と係合されるカム部が形成されるとともに硬貨蓄積空間部が形成され、上記商品取出操作部材の操作により上記駆動カム部材を介してスライド動作される硬貨収納カム部材と、
上記硬貨収納カム部材の上方に位置して揺動自在に配置され、上記硬貨収納カム部材と係合することにより上記商品取出操作部材の操作に基づくスライド動作を不能状態とするロック部を有するロック部材と、
上記硬貨収納カム部材の上記硬貨蓄積空間部の底部を構成して揺動自在に設けられ、上記ロック部材によるロック状態を解除されて上記硬貨収納カム部材がスライド動作することにより上記硬貨蓄積空間部に蓄積された規定枚数の硬貨を支持して硬貨収納部へと導くとともに、硬貨返却操作部材の操作により回動動作することにより上記硬貨蓄積空間部の底部を開放して蓄積した硬貨を硬貨返却部へと導く硬貨受け部材とを組み合わせ、
正規の硬貨投入に基づいて上記商品取出操作部材の操作が行われると、上記硬貨蓄積空間部内に規定枚数の硬貨を蓄積した上記硬貨収納カム部材のスライド動作が許可されて上記蓄積硬貨による上記ロック部材の押上げ動作が行われて上記ロック部によるロック状態が解除され、上記送出機構による上記商品収納部に収納した上記商品の送出動作が行われるようにすることを特徴とする硬貨メカニズムユニット装置。
【請求項７】
上記駆動カム部材は、上記駆動軸に固定され、外周部にラチェット歯が形成されるとともに側面部に回転中心から偏心した位置を中心とする円形の上記偏心カム部が形成され、上記商品取出操作部材の操作により回転されるラチェットカム部材であり、
上記ラチェット円板部材の外周部に、上記第１シャーシ基板の外側面に取り付けられて先端爪部が噛合習性を付与されて上記ラチェット歯と噛合するラチェットレバー部材により一定方向にのみ回転されることにより、上記商品取出操作部材が一方向にのみ回転操作されるように規制することを特徴とする請求項６に記載の硬貨メカニズムユニット装置。
【請求項８】
上記駆動軸に対して上記ラチェット歯の向きを変えた上記ラチェット円板部材を交換して設けるとともに、上記第１シャーシ基板の外側面に中心対象位置に形成した取付部を選択して上記ラチェットレバーを取り付けることにより、上記商品取出操作部材の回転操作方向が選択されることを特徴とする請求項７に記載の硬貨メカニズムユニット装置。
【請求項９】
上記フレーム体が、上記第１側板を上記自動販売機本体の前面側に位置させて取り付けられ、上記第１側板に硬貨投入口と硬貨返却操作部材と上記商品取出操作部材と硬貨返却口を設け、
上記第１側板を貫通して上記メカニズム組付空間部内に設けた上記操作軸と上記送出機構の上記駆動軸とを直交変換歯車機構により連結することを特徴とする請求項６乃至請求項８のいずれか１項に記載の硬貨メカニズムユニット装置。
【請求項１０】
上記商品取出操作部材が、上記シャーシ基板を貫通して上記駆動カム部材を設けた上記送出機構の上記駆動軸に設けられることを特徴とする請求項６乃至請求項９のいずれか１項に記載の硬貨メカニズムユニット装置。
【発明の詳細な説明】
【技術分野】
【０００１】
本発明は、規定枚数の硬貨やメタル或いは各種トークン（本明細書においては硬貨と総称する。）を投入することにより商品取出操作部材の操作が可能となり、この商品取出操作部材の操作によって送出機構を駆動して商品収納部に収納した商品を送出して販売する自動販売機に付設する硬貨メカニズムユニット装置に関する。
【背景技術】
【０００２】
自動販売機は、一般に多数個の商品を収納する商品収納部や硬貨或いは紙幣を選別する貨幣選別ユニットとともに、待機状態で商品取出操作部材の操作を不能状態とするロック機構や、商品収納部から商品を取出口へと送り出す送出機構或いは商品取出操作部材と送出機構とを連結する連結機構等を備える。また、自動販売機においては、投入された硬貨等を一時蓄積するとともに投入額と商品価格を計算して過不足を判断して商品販売或いは釣り銭の返却等を行う機能を有しており、上述した各種機構や機能を硬貨メカニズムユニット装置に搭載し、この硬貨メカニズムユニット装置を付設して構成する。
【０００３】
一方、自動販売機においては、店頭等に多数台を縦横に並べて設置され、例えばプラスチック製のカプセル内に収納した商品を販売するいわゆるガチャ・ポンと称されるワンコイン型自動販売機も提供されている（例えば、特許文献１を参照）。かかるワンコイン型自動販売機に用いる硬貨メカニズムユニット装置は、一般に１枚の硬貨を投入することによって商品取出用のハンドルやレバー等の商品取出操作部材の操作を１回に限り可能な状態とし、その操作が行われることによって送出機構を駆動して商品収納部内に収納された多数個のカプセルから１個のカプセルがランダムに選択されて取出口へと送り出されるようにする。
【０００４】
ワンコイン型自動販売機は、商品を同一形状でかつ機械的剛性が大きいカプセルに詰めて販売するとともに、商品収納部からカプセルをランダムに選択して送り出すことから構造が簡易であるといった特徴がある。ワンコイン型自動販売機は、多数台を上下左右に並べて設置し、もっぱら比較的低額で小さな子供向け商品を販売対象とするものが多く、思わぬ商品が出てくるゲーム性もあって好評を博している。かかるワンコイン型自動販売機用の硬貨メカニズムユニット装置は、硬貨の蓄積機構や計算機能或いは釣り銭機構等を備えておらず、小型で簡易な構造であるとともに電源を不要とすることにより、ほとんどランニングコストがかからない。
【０００５】
【特許文献１】特開平８−２１２４３０号公報
【発明の開示】
【発明が解決しようとする課題】
【０００６】
ところで、自動販売機においては、上述したワンコイン型自動販売機の特徴を踏襲しながらも、例えば数百円の商品販売を可能とする高額化対応の要求が大きい。高額化対応の小型自動販売機に用いられる硬貨メカニズムユニット装置は、高額化の対応として硬貨専用の仕様に限定しても、例えば規定枚数の硬貨が投入されるまで投入硬貨を蓄積し、規定枚数の硬貨投入を判定して商品の送り出しを許可し、商品送出に基づいて蓄積硬貨を収納する機能が必要となる。しかしながら、硬貨メカニズムユニット装置は、かかる機能を電気的制御によらずに実行することが困難であり、ワンコイン型自動販売機用のものと同様に無電源仕様の実現が困難であった。
【０００７】
また、硬貨メカニズムユニット装置においては、高額化対応の機能を搭載した場合に、当然大型自動販売機と同様に販売する商品に応じた価格設定機能も必要となる。かかる機能も、無電源仕様により実現することは極めて困難である。硬貨メカニズムユニット装置においては、高額化対応の機能を搭載することにより、上述した硬貨の蓄積・収納構造等を追加するとともに機械的剛性の強化等も必要となることにより大型かつ重量も大きくなり、自動販売機が大型となって従来のワンコイン型自動販売機に並べて設置することが困難となるといった問題もある。
【０００８】
一方、硬貨メカニズムユニット装置には、自動販売機の筐体に露出される、商品の取出操作を行うための商品取出操作部材とともに、硬貨の投入口や返却口或いは硬貨の返却操作を行う硬貨返却操作部材が備えられる。硬貨メカニズムユニット装置においては、自動販売機の設置スペースの制限や外観仕様等に基づいて、個々に内部機構とともにこれら部材や部位を配置して製造されていた。硬貨メカニズムユニット装置においては、特に顧客が操作する商品取出操作部材についてダイヤル形やレバー形等の外形仕様や操作方向或いは例えば筐体の前面配置或いは側面配置の配置仕様の変更要求も大きいが、内部機構等を共通化してその互換性を図る対応は図られていない。
【０００９】
したがって、本発明は、上述した従来の硬貨メカニズムユニット装置の特徴を踏襲しながらその問題を解決し、高額化対応の機能や互換性の向上を図る硬貨メカニズムユニット装置を提供することを目的とする。
【課題を解決するための手段】
【００１０】
上述した目的を達成する本発明にかかる硬貨メカニズムユニット装置は、自動販売機に付設して用いられ、正規の硬貨投入に基づいて商品取出操作部材のロック状態を解除し、商品取出操作部材の操作によって駆動される送出機構により商品収納部に収納した商品の送出動作が行われるようにする。硬貨メカニズムユニット装置は、駆動カム部材と、硬貨収納カム部材と、ロック部材と、硬貨受け部材とを備える。
【００１１】
駆動カム部材は、偏心カム部を有し、商品取出操作部材の操作により回転される。駆動カム部材は、例えば外周部にラチェット歯を形成するとともに側面部に回転中心から偏心した位置を中心とする円形の偏心カム部を形成したラチェットカム部材からなり、外周部に先端爪部が噛合習性を付与されてラチェット歯と噛合するラチェットレバー部材を配置して一定方向にのみ回転されることにより、商品取出操作部材が一方向にのみ回転操作されるように規制する。駆動カム部材は、ラチェットカム部材を反転してラチェット歯の向きを変えるとともにラチェットレバー部材を反転して取り付けることにより、商品取出操作部材の回転操作の方向が変更される。
【００１２】
硬貨収納カム部材は、駆動カム部材の偏心カム部と係合されるカム部が形成されるとともに硬貨蓄積空間部が形成され、商品取出操作部材の操作により駆動カム部材を介してスライド動作される。硬貨収納カム部材は、硬貨投入口から投入されて硬貨選別ユニットを通過した正規の硬貨を、硬貨蓄積空間部内に規定の枚数を蓄積するとともに、これら硬貨をキーとしてロック部材によるロック状態が解除されるようにしてスライド動作が可能となる。硬貨収納カム部材は、例えば硬貨蓄積空間部が規定枚数の硬貨を厚み方向に重ね合わせて収納する筒状に形成され、硬貨受け部材に設けた高さ調整機構により蓄積する硬貨の規定枚数が可変される。
【００１３】
ロック部材は、硬貨収納カム部材の上方に位置して揺動自在に配置され、硬貨収納カム部材と係合することにより商品取出操作部材の操作に基づくスライド動作を不能状態とするロック部を有する。ロック部材には、例えば硬貨収納カム部材の硬貨蓄積空間部内に硬貨を導く硬貨ガイド孔が形成されるとともに、揺動支点と対向する自由端側にロック部を硬貨収納カム部材側に付勢して係合習性を付与する重りが設けられる。
【００１４】
硬貨受け部材は、硬貨収納カム部材の硬貨蓄積空間部の底部を構成して揺動自在に設けられ、ロック部材によるロック状態を解除されて硬貨収納カム部材がスライド動作することにより硬貨蓄積空間部に蓄積された規定枚数の硬貨を支持して硬貨収納部へと導くとともに、硬貨返却操作部材の操作により回動動作することにより硬貨蓄積空間部の底部を開放して蓄積した硬貨を硬貨返却部へと導く。硬貨受け部材は、例えば一方側に硬貨収納部と連通する第１傾斜面部を形成するとともに他方側に硬貨返却部と連通する第２傾斜面部を形成して揺動自在に支持される硬貨受けフレーム部材と、この硬貨受けフレーム部材の第１傾斜面部と第２傾斜面部との間に硬貨収納カム部材の硬貨蓄積空間部の底部と対向して着脱自在に組み合わされて硬貨を受け止めることにより蓄積枚数を規定する蓄積枚数規定部材とから構成される。硬貨受け部材は、蓄積枚数規定部材が、硬貨受けフレーム部材との組合せ支点からの高さを異にする複数の受止め部を形成した多角形のブロック体からなり、受止め部を選択して硬貨受けフレーム部材に組み合わせることにより硬貨収納カム部材の上記硬貨蓄積空間部に蓄積する硬貨の枚数を規定する。
【００１５】
硬貨メカニズムユニット装置においては、正規の硬貨投入が行われない待機状態ではロック部材によりロックされた硬貨収納カム部材のスライド動作が不能であり、この硬貨収納カム部材を介して商品取出操作部材の操作を不能とする。硬貨メカニズムユニット装置においては、硬貨投入口から投入されて硬貨選別ユニットを通過した規定枚数の硬貨が硬貨収納カム部材の硬貨蓄積空間部に蓄積された状態において商品取出操作部材の操作が可能となり、商品取出操作部材の操作により送出機構を駆動して商品収納部に収納した商品の送出動作が行われるようにする。硬貨メカニズムユニット装置においては、硬貨収納カム部材が、硬貨蓄積空間部に規定枚数の硬貨を蓄積した状態で商品取出操作部材の操作に基づいてスライド動作しながら蓄積硬貨によりロック部材の押上げ動作を行ってロック部によるロック状態が解除される。
【００１６】
また、上述した目的を達成する本発明にかかる硬貨メカニズムユニット装置は、自動販売機本体に付設され、正規の硬貨投入に基づいてロック状態が解除された商品取出操作部材の操作により送出機構が駆動されて商品収納部に収納した商品の送出動作が行われるようにする。硬貨メカニズムユニット装置は、メカニズム組付空間部を構成するフレーム体と、このフレーム体に組み合わされる駆動カム部材と、硬貨収納カム部材と、ロック部材と、硬貨受け部材とを備える。
【００１７】
フレーム体は、第１シャーシ基板と、この第１シャーシ基板の幅方向の両側縁部に沿ってそれぞれ直交状態に相対して設けられた第１側板及び第２側板と、第１シャーシ基板に上部領域を開放し下部領域にメカニズム組付空間部を構成して相対して設けられた第２シャーシ基板とから構成される。フレーム体には、側面を開放された第１シャーシ基板の上部領域に硬貨選別ユニットが組み付けられるとともに、第１シャーシ基板の外側面に貫通された送出機構の駆動軸に偏心カム部が形成された駆動カム部材が固定される。
【００１８】
フレーム体には、メカニズム組付空間部に、硬貨収納カム部材と、ロック部材と、硬貨受け部材が組み合わされる。硬貨収納カム部材には、駆動カム部材の偏心カム部と係合されるカム部が形成されるとともに硬貨蓄積空間部が形成され、商品取出操作部材の操作により駆動カム部材を介してメカニズム組付空間部内をスライド動作する。ロック部材は、硬貨収納カム部材と係合することにより商品取出操作部材の操作に基づくスライド動作を不能状態とするロック部を有し、硬貨収納カム部材の上方に位置してメカニズム組付空間部内に揺動自在に配置される。硬貨受け部材は、硬貨収納カム部材の硬貨蓄積空間部の底部を構成してメカニズム組付空間部内に揺動自在に設けられる。硬貨受け部材は、ロック部材によるロック状態を解除されて硬貨収納カム部材がスライド動作することにより硬貨蓄積空間部に蓄積された規定枚数の硬貨を支持して硬貨収納部へと導くとともに、硬貨返却操作部材の操作により回動動作することにより硬貨蓄積空間部の底部を開放して蓄積した硬貨を硬貨返却部へと導く。
【００１９】
硬貨メカニズムユニット装置は、駆動カム部材が、例えば駆動軸に固定され、外周部にラチェット歯が形成されるとともに側面部に回転中心から偏心した位置を中心とする円形の偏心カム部が形成され、商品取出操作部材の操作により回転されるラチェットカム部材であり、外周部に先端爪部が噛合習性を付与されてラチェット歯と噛合するラチェットレバー部材を配置して一定方向にのみ回転されることにより、商品取出操作部材が一方向にのみ回転操作されるように規制する。硬貨メカニズムユニット装置は、駆動軸に対してラチェット歯の向きを変えたラチェットカム部材を交換して設けるとともに、第１シャーシ基板の外側面に中心対象位置に形成した取付部を選択してラチェットレバー部材を取り付けることにより、商品取出操作部材の回転操作方向を選択することが可能である。
【００２０】
硬貨メカニズムユニット装置は、フレーム体が、第１側板を自動販売機本体の前面側に位置させて取り付けられ、第１側板に硬貨投入口と硬貨返却操作部材と商品取出操作部材と硬貨返却口を設ける。硬貨メカニズムユニット装置は、第１側板を貫通してメカニズム組付空間部内に設けた操作軸と送出機構の駆動軸とを直交変換歯車機構により連結し、前面操作型として構成する。
【００２１】
硬貨メカニズムユニット装置は、商品取出操作部材を、シャーシ基板を貫通して駆動カム部材を設けた送出機構の駆動軸に設けることにより側面操作型として構成する。
【発明の効果】
【００２２】
本発明にかかる硬貨メカニズムユニット装置によれば、駆動カム部材と硬貨収納カム部材とロック部材と硬貨受け部材とを備え、硬貨収納カム部材が硬貨蓄積部に規定枚数の硬貨を蓄積した状態で商品取出操作部材の操作に基づくスライド動作が蓄積硬貨によるロック部材の押上げ動作により可能となるように構成される。したがって、硬貨メカニズムユニット装置によれば、簡易な構成により規定枚数の硬貨蓄積機能や収納機能或いは規定枚数の硬貨投入までのロック機能を備え、従来のワンコイン型硬貨メカニズムユニット装置と同様の無電源、小型軽量化或いは低コスト等の特徴を踏襲して高額商品を販売する対応が実現される。
【００２３】
また、本発明にかかる硬貨メカニズムユニット装置によれば、メカニズム組付空間部を構成するフレーム体と、このフレーム体に組み合わされる駆動カム部材と硬貨収納カム部材とロック部材と硬貨受け部材とを備え、自動販売機本体の取付部に取り付けて硬貨収納カム部材が硬貨蓄積部に硬貨投入口から投入された規定枚数の硬貨を蓄積した状態で商品取出操作部材の操作に基づくスライド動作が蓄積硬貨によるロック部材の押上げ動作により可能となるように構成される。硬貨メカニズムユニット装置によれば、簡易な構成により規定枚数の硬貨蓄積機能や収納機能或いは規定枚数の硬貨投入までのロック機能を備え、従来のワンコイン型硬貨メカニズムユニット装置と同様の無電源、小型軽量化或いは低コスト等の特徴を踏襲して高額化の対応が実現されるとともに、商品取出操作部材の取付位置や操作方向の変更の対応も可能となり、互換性の向上が図られる。
【発明を実施するための最良の形態】
【００２４】
以下、本発明の実施の形態について、図面を参照して詳細に説明する。実施の形態として示す詳細を後述する硬貨メカニズムユニット（硬貨メカニズムユニット装置）２を備える小型自動販売機（以下、自動販売機と略称する。）１も、一般的なワンコイン型自動販売機と同等の大きさでかつ電源を不要とする自動販売機である。自動販売機１は、同一仕様のものを多数台或いは従来仕様のものと合わせて縦横に多段に並べて設置することが可能である。
【００２５】
自動販売機１は、後述するように顧客が１００円硬貨（以下、硬貨と略称する。）３を２枚投入して商品取出操作を行うことにより、内部にランダムに収納した２００円の薄物商品４を販売する。自動販売機１は、１００円硬貨のみを使用対象とするが、後述するように硬貨メカニズムユニット２に簡易な対応作業を施すことにより価格を変更することが可能であり、また薄物商品４ばかりでなく例えばカプセル入り商品等の各種商品の販売用にも適用可能である。なお、以下の説明において、上下、左右、前後の用語を用いるが、図１を基準にして用いるものとする。
【００２６】
自動販売機１は、図１乃至図３に示すようにやや縦長で前面部を開放した箱形の筐体５と、この筐体５に詳細を省略する上下一対のヒンジ機構６、６を介して組み合わされて前面部を開閉する前扉７とにより外装体を構成する。自動販売機１は、錠前８により筐体５に対して前扉７を施錠した状態で設置され、管理者が保有する錠を用いて前扉７を開けて商品４の補充や適宜の保守点検作業或いは商品４の交換と価格変更等の作業を行う。
【００２７】
自動販売機１には、図１に示すように前扉７のヒンジ機構６と対向する部位に、錠前８を挟んだ上方位置に商品４の対価を表示する料金表示部９と、硬貨投入口１０Ａが開口された硬貨投入部１０と、硬貨返却操作部材である硬貨返却レバー部材１１Ａの操作部１１Ｂを外方に突出させた硬貨返却操作部１１が配置される。自動販売機１には、前扉７に、錠前８を挟んだ下方位置に商品取出操作部材である回転操作ダイヤル１２Ａを外方に突出させた商品取出操作部１２と、余剰硬貨や非正規硬貨或いは疑似硬貨等を返却する硬貨返却口１３が配置される。自動販売機１には、前扉７に、中央部の下方に位置して商品４が送り出されてくる商品取出口１４Ａが開口された商品取出部１４が設けられる。
【００２８】
自動販売機１は、図２及び図３に示すように筐体５の内部が、縦仕切り板１５と横仕切り板１６とにより第１空間部１７Ａ乃至第３空間部１７Ｃに区割りされる。自動販売機１は、右側上部の第１空間部１７Ａが後述する硬貨選別ユニット１８を組み合わせた硬貨メカニズムユニット２の組付空間部を構成し、左側上部の第２空間部１７Ｂが商品収納ユニット１９の組付空間部を構成し、左側下部の第３空間部１７Ｃが金庫ユニット２０を収納する金庫収納空間部を構成する。なお、自動販売機１は、前扉７に、商品収納ユニット１９内の商品４の収納状態が外部から確認可能とするために縦長矩形の商品確認用窓部２１が商品取出部１４の上方に位置して設けられている。なお、自動販売機１は、前扉７の第２空間部１７Ｂとの対向部位を全体に亘って透明板で構成するようにしてもよい。
【００２９】
自動販売機１は、顧客により硬貨投入口１０Ａから２枚の１００円硬貨３を投入して商品取出操作が行われると、商品収納ユニット１９に収納した商品４を１個ずつ販売する。商品４は、詳細を省略するが薄厚で柔軟性や凹凸のある複雑な形状等の各種内容物（実際の商品）を、例えば厚紙等からなるシート状素材を２つ折りしその表裏主面に適宜の装飾図案或いは内容物の内容説明や取扱い説明等を印刷して構成した個装体内に挟み込んで簡易包装してなり、全体が薄い略紡錘形状を呈している。
【００３０】
商品４は、従来のカプセルと比較して個装体が極めて廉価であり、この個装体を展開した状態で内容物を置いて中央部から２つ折りして突き合わせ部位をシールで止める簡易な作業により効率よく包装が行われる。商品４は、低コストの個装体を用いるとともに、包装作業の効率化によりコスト低減が図られる。商品４は、販売後に小さな子供でもシールを剥がして内容物の取り出しが可能であり、不要な個装体がそのまま捨てられても従来のカプセルのように壊されることにより鋭い破片が飛び散るといった危険も無い。商品４は、全体が薄型であることから運搬や保管等に際して嵩張らず取扱いが容易である。
【００３１】
商品４は、様々な内容物として、厚みが多少異なるものであってもよいが、規定の個装体を用いて包装することが可能なものとされ、幅寸法や奥行き寸法がほぼ同一とされる。商品４は、内容物の厚みにより、厚み寸法が多少異なるものであってもよいが、商品取出口１４Ａの開口寸法よりも小さいことが条件となる。なお、自動販売機１は、後述するように商品収納ユニット１９が商品４の仕様に応じて簡易な作業により大きさを変えることが可能とされる。
【００３２】
前扉７には、図３に示すように料金表示部９に対向する内面にブラケット２２Ａを介して料金表示ドラム２２が回転自在に取り付けられている。料金表示ドラム２２は、価格を変更する商品４を販売する場合に、回動されてその外周面に表示した表示金額を料金表示部９と対向させることにより、料金表示部９の表示金額が変更されるようにする。前扉７には、図３に示すように、その内面に商品押さえリブ部２３や金庫ユニット押さえリブ部２４が設けられている。
【００３３】
商品押さえリブ部２３は、筐体５の第２空間部１７Ｂと対向する部位に形成された高さ方向の立壁からなり、筐体５に対して前扉７を閉じた状態で商品収納ユニット１９に収納された商品４を保持する。金庫ユニット押さえリブ部２４は、筐体５の第３空間部１７Ｃと対向する部位に形成された左右一対の立壁からなり、筐体５に対して前扉７を閉じた状態で金庫ユニット２０の前面に突き当たり、金庫ユニット２０を保持するとともにこの金庫ユニット２０が正しい位置にセットされているかを確認可能とする。
【００３４】
自動販売機１は、商品収納ユニット１９が、図２及び図３に示すように、横仕切り板１５をベース板として左右一対の側板２５、２５と、背板２６と、送出開口調整板２７とを組み合わせて内部に前方側を開放した商品収納空間部２８を構成してなる。商品収納ユニット１９は、商品収納空間部２８内に収納した商品４を横仕切り板１５上に押し付ける重り部材２９を備える。商品収納ユニット１９は、左右の側板２５が、その上下端部を横仕切り板１５と筐体５の天井部に支持されて組み合わされる。商品収納ユニット１９は、背板２６が図示を省略するが横仕切り板１５に形成した前後方向の取付溝を介して組み合わされる。商品収納ユニット１９は、送出開口調整板２７が、横仕切り板１５の前方端に対して所定の高さ位置に組み合わされてその下端縁との間に商品取出部１４の商品取出口１４Ａと対向する商品送出開口を構成する。
【００３５】
商品収納ユニット１９は、詳細を省略するが、横仕切り板１５と筐体５の天井部に相対して形成した複数のリブにより構成された前後方向の複数のスロットが設けられており、これらスロットを選択して左右の側板２５を組み付けることにより商品収納空間部２８を商品４に合わせた横幅とすることが可能である。商品収納ユニット１９は、背板２６を取付溝に沿って前後方向に移動して横仕切り板１５に固定することにより、商品収納空間部２８を商品４に合わせた奥行きとする。
【００３６】
商品収納ユニット１９は、送出開口調整板２７を上下方向に移動して横仕切り板１５に固定することにより、商品収納空間部２８の下方部位に商品送出開口を構成する。商品送出開口は、商品４の１個分の厚みよりも大きくかつ２個分の厚みよりも小さい高さに設定される。商品収納ユニット１９には、上述した寸法仕様に設定した商品収納空間部２８内に、図４に示すように多数個の商品４が側板２５と背板２６により保持されて横仕切り板１５上に厚み方向に積層して収納される。
【００３７】
商品収納ユニット１９は、図２及び図４に示すように重り部材２９が、側板２５にそれぞれ相対して形成された高さ方向の重り組付溝３０、３０に両端部を嵌合されることにより商品収納空間部２８内に組み合わされる。重り部材２９は、鉄等により矩形ブロック状に形成された重量のある本体部と、その両側面から突出して重り組付溝３０に嵌合される軸部とから構成され、各軸部を相対する重り組付溝３０に嵌合することにより商品収納空間部２８内に高さ方向に移動自在に組み合わされる。重り部材２９は、商品収納空間部２８内に積層状態で収納した商品４を横仕切り板１６上に押し付けることにより、後述する商品送出機構３１による商品４の送出操作が確実に行われるようにする。
【００３８】
自動販売機１は、後述するように顧客により正規の硬貨投入と商品取出操作が行われることにより硬貨メカニズムユニット２を介して商品送出機構３１が駆動され、上述した商品収納ユニット１９の商品収納空間部２８に収納された商品４を最下部から順に横仕切り板１５と送出開口調整板２７との間に構成した商品送出開口から商品取出部１４へと送り出す動作が行われる。商品送出機構３１は、駆動軸３２と、この駆動軸３２に固定された商品送出カム部材３３とにより構成され、横仕切り板１５にその幅方向の中央部に位置して形成された奥行き方向のカム開口部３４に対向して筐体５の第３空間部１７Ｃに配置される。
【００３９】
商品送出機構３１は、駆動軸３２が、一端側を後述する硬貨メカニズムユニット２に連結されるとともに他端側を金庫ユニット２０に支持されてカム開口部３４に対向して第３空間部１７Ｃを横切るようにして配置される。駆動軸３２は、一端側が縦仕切り板１５に形成した軸孔を貫通して第１空間部１７Ａに突出して後述する直交変換歯車機構４８に結合される。駆動軸３２は、他端部が、詳細を省略するが商品収納ユニット１９側に設けた後方軸受け部と金庫ユニット２０側に設けた前方軸受け部とが共同して構成する軸受け部に回転自在に支持される。なお、商品送出機構３１は、軸受け部が、金庫ユニット２０を所定位置に正しくセットされた状態においてのみ駆動軸３２を支持することで、その確認が行われるようにする機能も奏する。
【００４０】
商品送出機構３１は、商品送出カム部材３３が、横仕切り板１６に形成されたカム開口部３４に対向位置するようにして駆動軸３２に固定され、図４に示すように外周部が駆動軸３２からの距離を異にされた断面が略扇形の偏心円柱カム部材からなる。商品送出カム部材３３は、小径部位が商品収納空間部２８から退出する外径とされるとともに、大径部位がカム開口部３４を介して商品収納空間部２８に進入する外径とされる。
【００４１】
商品送出カム部材３３は、待機状態において小径部位がカム開口部３４と対向するように位置決めされ、商品収納空間部２８から退出した位置に保持される。商品送出カム部材３３は、顧客が正規の硬貨投入を行って回転操作ダイヤル１２Ａを回転操作すると、後述するように硬貨メカニズムユニット２を介して図４矢印で示すように反時計方向に回転して大径部位がある範囲でカム開口部３４を介して商品収納空間部２８に進入しながら回転する。商品送出カム部材３３は、大径部位が最下段に積層された商品４と圧接して前方へと移動させる送り出し動作を行い、この最下段商品４のみを同図矢印で示すように商品取出部１４へと送り出して待機状態へと復帰する。
【００４２】
自動販売機１は、上述したように筐体５の縦長の第１空間部１７Ａ内に、硬貨選別ユニット１８を組み合わせた硬貨メカニズムユニット２を組み付ける。硬貨メカニズムユニット２は、待機状態において商品４を取り出す回転操作ダイヤル１２Ａの回転操作を不能な状態に保持する。硬貨メカニズムユニット２は、顧客により投入された硬貨３を硬貨選別ユニット１８により選別し、２枚の正規硬貨３を蓄積するとともに返却操作に基づいて蓄積硬貨３を返却し、疑似硬貨等を硬貨返却口１３から返却する。硬貨メカニズムユニット２は、顧客により回転操作ダイヤル１２Ａの回転操作が行われると、商品送出機構３１を駆動して商品４の送り出しを行うとともに蓄積した硬貨３の金庫ユニット２０への収納を行った後に、待機状態へと復帰する。
【００４３】
硬貨メカニズムユニット２は、図２及び図５に示すように第１シャーシ基板３５と、この第１シャーシ基板３５の幅方向の一方側縁部に沿って直交状態に設けられた第１側板である前面板３６と、この前面板３６と対向して第１シャーシ基板３５の他方側縁部に沿って直交状態に設けられた第２側板である背面板３７と、第１シャーシ基板３５と対向する第２シャーシ基板３８とによりフレーム体３９を構成する。なお、フレーム体３９は、第１シャーシ基板３５と前面板３６と背面板３７を合成樹脂材或いはアルミダイキャスト等により一体に形成してもよい。
【００４４】
フレーム体３９は、図５に示すように、第２シャーシ基板３８が第１シャーシ基板３５に対して同幅であるがほぼ半分の高さとされ、第１シャーシ基板３５の第１主面３５Ａ側の上部領域を開放して前面板３６と背面板３７を介して組み合わされる。フレーム体３９は、第１シャーシ基板３５の開放された上部領域と前面板３６と背面板３７とで囲まれた上方の空間部が硬貨選別ユニット１８を組み合わせる硬貨選別ユニット組合せ空間部４０として構成され、閉塞された下方の空間部をメカニズム組付空間部４１として構成する。
【００４５】
フレーム体３９は、図２及び図３に示すように前面板３６を前扉７の内面と対向させて筐体５の第１空間部１７Ａに組み付けられる。フレーム体３９は、筐体５に対してその内側面と第１シャーシ基板３５とが所定の対向間隔を保持して組み付けられる。フレーム体３９には、図５に示すように前面板３６や背面板３７に、図示を省略する筐体５側に形成した取付リブが嵌合されるチャンネル状の取付部４２、４３が一体に形成されている。なお、フレーム体３９は、筐体５との取付構造が、かかる構造に限定されないことは勿論である。
【００４６】
フレーム体３９には、図３及び図５に示すように前面板３６と背面板３７の上端縁に跨って、スロット部材４４が取り付けられている。スロット部材４４には、前扉７側の硬貨投入部１０と対向して開口されて投入された硬貨３を受け入れる硬貨受入れ口４４Ａが設けられるとともに、内部には硬貨受入れ口と連通して硬貨３を硬貨選別ユニット１８へと転動させる硬貨軌道が設けられている。スロット部材４４は、上述した硬貨３の受入れ機能とともに、前面板３６と背面板３７の対向間隔を保持する機能も奏する。
【００４７】
前面板３６には、前扉７側の硬貨返却操作部１１と対向して高さ方向のガイド溝４５が形成され、このガイド溝４５を介して硬貨返却レバー部材１１Ａの操作部１１Ｂを外方に突出させる。硬貨返却レバー部材１１Ａは、顧客が商品４の購入を行わずに操作部１１Ｂをガイド溝４５に沿って下方へと押し下げることにより、後述するように硬貨メカニズムユニット２内に蓄積された硬貨３を硬貨返却口１３へと返却させる。前面板３６は、後述するように回転操作ダイヤル１２Ａを回転自在に支持して、前扉７側の商品取出操作部１２を介して外方へと突出させる。前面板３６には、前扉７側の硬貨返却口１３と連通する硬貨返却軌道の開口部が形成されている。
【００４８】
硬貨メカニズムユニット２には、図５及び図６に示すようにフレーム体３９の硬貨選別ユニット組合せ空間部４０に硬貨選別ユニット１８として従来から汎用品として提供されている無電源型の１００円硬貨選別ユニット（旭精工製コインセレクタ）が組み付けられる。硬貨選別ユニット１８は、外周部の適宜の位置に形成された詳細を省略する取付部を介してフレーム体３９に位置決め固定される。硬貨選別ユニット１８は、詳細を省略するが所定の間隔を以って一対の基板が組み合わされ、これら基板間に後方下がりの高さ方向の硬貨軌道を構成する。
【００４９】
硬貨選別ユニット１８は、図６に示すように後方上部側にスロット部材４４から投入された硬貨３を受け入れる硬貨口１８Ａが設けられる。硬貨選別ユニット１８には、硬貨軌道に沿って例えば重量選別部１８Ｂ、厚さ選別部１８Ｃ、材質（磁気性）選別部１８Ｄが設けられており、これら各選別部において投入硬貨が正規硬貨か疑似硬貨であるかを判別する。硬貨選別ユニット１８は、いずれか１つの選別要素でも不合格判定を行うと、同図に示すように疑似硬貨３ＮＧを選別軌道から排除して硬貨返却口１３へと導いて返却されるようにする。硬貨選別ユニット１８は、正規硬貨３のみを下部後方側の軌道部１８Ｅから後述する機構部４６へと導く。
【００５０】
硬貨選別ユニット１８は、詳細を省略するが一方の基板が他方の基板に対してヒンジ機構を介して開放自在に組み合わされる。硬貨選別ユニット１８は、この開放自在な基板側に硬貨返却レバー部材１１Ａに形成したカム部が係合されており、例えば硬貨軌道内に硬貨詰まりが生じた場合に操作部１１Ｂを介して返却操作を行うと硬貨軌道を開放してその取り出しが行われるようにする。なお、硬貨選別ユニット１８については、かかる市販の硬貨選別ユニットに限定されないことは勿論である。
【００５１】
硬貨メカニズムユニット２は、メカニズム組付空間部４１内に設ける機構部４６が、図６及び図７に示すように回転操作ダイヤル１２Ａの操作軸４７に設けた第１傘歯車４９と上述した商品送出機構３１の駆動軸３２に設けた第２傘歯車５０とからなる直交変換歯車機構４８と、硬貨収納カム部材５１と、ロック部材５２と、硬貨受け部材５３等の部材により構成する。機構部４６は、詳細を後述するように待機状態においては回転操作ダイヤル１２Ａの回転操作を不能とする。機構部４６は、顧客が正規の硬貨投入を行うと回転操作ダイヤル１２Ａのロック状態を解除し、顧客による回転操作ダイヤル１２Ａの回転操作に基づいて上述した商品送出機構３１による商品収納ユニット１９からの商品２の送出動作が行われるようにする。
【００５２】
硬貨メカニズムユニット２は、回転操作ダイヤル１２Ａが、前面板３６に形成した筒状開口部からなる商品取出操作部１２から外方へと突出して設けられる。回転操作ダイヤル１２Ａは、上述したように顧客が正規の硬貨投入を行って回転操作を行った場合に、商品収納ユニット１９から収納された商品４の送り出しが行われるようにする。回転操作ダイヤル１２Ａには、図６及び図７に示すように操作部の背面側に、メカニズム組付空間部４１内に突出して前後方向に延在する操作軸４７が一体に設けられている。
【００５３】
操作軸４７は、詳細を省略するが、第１シャーシ基板３５に形成した図示しない軸受部に回転自在に支持され、先端部に直交変換歯車機構４８を構成する第１傘歯車４９が固定される。直交変換歯車機構４８は、図６及び図７に示すように第１傘歯車４９と、メカニズム組付空間部４１を左右方向に貫通する駆動軸３２に固定された第２傘歯車５０を備える。直交変換歯車機構４８は、第１傘歯車４９と第２傘歯車５０が直交状態で噛合うことにより、互いに直交状態にある操作軸４７と駆動軸３２との間において回転伝達が行われるようにする。したがって、直交変換歯車機構４８は、顧客が硬貨投入口４４Ａから料金表示部９に表示された硬貨３を投入する正規の硬貨投入を行って回転操作ダイヤル１２Ａを回転操作すると、操作軸４７−第１傘歯車４９−第２傘歯車５０−駆動軸３２の経路を介して直交方向に変換した回転伝達を行い、上述した商品送出機構３１による商品４の送出動作が行われるようにする。
【００５４】
硬貨メカニズムユニット２には、回転操作ダイヤル１２Ａが一定方向にのみ回転操作されるようにする回転方向規制機構５４が設けられる。回転方向規制機構５４は、図７及び図８に示すようにラチェットカム部材５５と、ラチェットレバー部材５６と、ダイヤル戻しバネ部材５７等を備え、第１シャーシ基板３５の外側面に設けられる。回転方向規制機構５４は、詳細を後述するようにラチェットカム部材５５が一定の角度範囲で両方向に回動自在であり、これにより回転操作ダイヤル１２Ａをフリーな状態とする。
【００５５】
回転方向規制機構５４は、図８に示すように第１シャーシ基板３５にコイル部を支持してトーションスプリングからなるダイヤル戻しバネ部材５７を設け、このダイヤル戻しバネ部材５７の一端をラチェットカム部材５５に掛け合わすとともに他端側を第１シャーシ基板３５に設けたストッパに掛け合わすことによりラチェットカム部材５５に弾性力を作用させる。回転方向規制機構５４は、ラチェットカム部材５５がダイヤル戻しバネ部材５７の弾性力により所定位置への復帰習性を付与され、待機状態でも回転操作ダイヤル１２Ａが一定姿勢に保持されるようにする。
【００５６】
ラチェットカム部材５５は、第１シャーシ基板３５を貫通してメカニズム組付空間部４１から側方へと突出された駆動軸３２の先端部に固定される。ラチェットカム部材５５には、外周部に一部を欠歯領域５５Ｂとしてラチェット歯５５Ａが形成されている。ラチェットカム部材５５は、上述した経路を経て回転操作ダイヤル１２Ａの回転操作に合わせて第１傘歯車４９と第２傘歯車５０を介して一回転される。
【００５７】
回転方向規制機構５４は、ラチェットレバー部材５６が、その基端部側を第１シャーシ基板３５の外側面に設けた支軸５６Ａに回動自在に支持されるとともに、先端部側がラチェットカム部材５５のラチェット歯５５Ａと噛合する爪部を構成する。ラチェットレバー部材５６には、バネ材５６Ｂが設けられており、このバネ材５６Ｂの弾性力によって爪部がラチェット歯５５Ａとの噛合を付与される。ラチェットレバー部材５６は、待機状態においては爪部が欠歯領域５５Ｂに相対位置することでこの欠歯領域５５Ｂの範囲でラチェットカム部材５５の回転規制を解除している。回転方向規制機構５４は、これにより待機状態において回転操作ダイヤル１２Ａのいたずら操作が行われた場合でも、内部機構への負荷が低減されるようにする。
【００５８】
回転方向規制機構５４は、図７乃至図９に示すようにラチェットカム部材５５がそのラチェット歯５５Ａを時計方向の向きに形成するとともに、後方の上方位置においてラチェットレバー部材５６の爪部が噛合されるようにする。回転方向規制機構５４は、これによりラチェットカム部材５５が同図において反時計方向にのみ回転されるように構成する。回転方向規制機構５４は、例えばラチェット歯５５Ａの向きが反時計方向に形成され、図７において鎖線で示すようにラチェットレバー部材５６を前方側に位置して第１シャーシ基板３５に設けた場合には、時計方向にのみ回転されることになる。
【００５９】
ラチェットカム部材５５には、図７及び図９に示すように第１シャーシ基板３５との対向側面に、中心位置を異にする偏心カム部５８が一体に形成されている。偏心カム部５８は、ラチェットカム部材５５の回転中心に対して中心を前後方向に幾分ずらすことにより偏心円とされたカム溝により構成される。なお、偏心カム部５８は、ラチェットカム部材５５の厚みを確保して機械的強度を保持するために、回転中心から偏心位置を中心とした円形凸部を一体に形成し、この円形凸部の高さ範囲で円形のカム溝を形成するようにしてもよい。
【００６０】
偏心カム部５８は、ラチェットカム部材５５と一体に回転するが、図９に示すようにその回転中心、すなわち駆動軸３２を中心として遊星運動軌跡を以って回転する。偏心カム部５８には、後述するように硬貨収納カム部材５１に設けたカムリブ５９のカムピン５９Ａが相対係合される。したがって、偏心カム部５８は、ラチェットカム部材５５の回転に伴って硬貨収納カム部材５１をメカニズム組付空間部４１内において前後方向に往復移動させる作用を奏する。なお、偏心カム部５８は、かかる構成に限定されず、例えばやや厚みを有するラチェットカム部材５５の側面に溝切りされて形成したものであってもよい。
【００６１】
機構部４６は、図６及び図１０に示すように硬貨選別ユニット１８の下方に位置するメカニズム組付空間部４１内に、上方からロック部材５２と硬貨収納カム部材５１と硬貨受け部材５３がこの順序で重ね合わされるようにして組み付けられる。機構部４６は、第１シャーシ基板３５と第２シャーシ基板３８に対して、硬貨収納カム部材５１が前後方向にスライド自在に支持されるとともに、ロック部材５２と硬貨受け部材５３が片持ち状態で揺動自在に支持される。
【００６２】
硬貨収納カム部材５１は、図１０及び図１１に示すように天井部５１Ａと、左右側面部５１Ｂ、５１Ｃと、背面部５１Ｄとからなり、底面部と前面部を開放した断面チャンネル状に形成される。硬貨収納カム部材５１には、天井部５１Ａに硬貨３の外径とほぼ同径の硬貨蓄積空間部６０が形成されており、後述するようにこの硬貨蓄積空間部６０の底部を硬貨受け部材５３が閉塞することにより硬貨３を厚み方向に蓄積する。硬貨収納カム部材５１は、硬貨蓄積空間部６０内に規定枚数（２枚）の硬貨３を蓄積した状態でメカニズム組付空間部４１内を前後方向にスライド動作することが可能となる。
【００６３】
硬貨収納カム部材５１には、左右側面部５１Ｂ、５１Ｃにそれぞれ前後方向のカムリブ５９Ｂ、５９Ｃが一体に形成されており、これらカムリブ５９Ｂ、５９Ｃが第１シャーシ基板３５と第２シャーシ基板３８に相対して形成した前後方向のガイド溝６１、６２（図６に第１シャーシ基板３５側のガイド溝６１を鎖線で図示し、図５に第２シャーシ基板３８側のガイド溝６２を図示する。）に嵌合される。硬貨収納カム部材５１は、右側のカムリブ５９Ｂが第１シャーシ基板３５に対してガイド溝６１に嵌合された状態でその外側面と略同一面を構成し、上述したラチェットカム部材５５の側面と対向される。
【００６４】
硬貨収納カム部材５１には、カムリブ５９Ｂの先端部に位置して側方へと突出するカムピン５９Ａが一体に形成される。カムピン５９Ａは、上述したようにラチェットカム部材５５に形成した偏心カム部５８に相対係合される。カムピン５９Ａは、偏心カム部５８に対して、図９に示すようにラチェットカム部材５５の回転中心（駆動軸３２）を挟んだ後方側に位置して係合される。
【００６５】
硬貨収納カム部材５１は、カムピン５９Ａが、上述したように顧客による回転操作ダイヤル１２Ａの回転操作に基づいて直交変換歯車機構４８を介してラチェットカム部材５５が回転して偏心カム部５８が遊星運動軌跡を以って回転することにより、図９に示すようにラチェットカム部材５５の中心側の位置から外周側の位置へと移動する。硬貨収納カム部材５１は、このカムピン５９Ａの移動により、カムリブ５９Ｂ、５９Ｃが嵌合されたガイド溝６１、６２をガイドとしてメカニズム組付空間部４１内を後方側へと移動する。硬貨収納カム部材５１は、偏心カム部５８の最大径部位が同図鎖線で示すように駆動軸３２を挟んだ後方側まで移動してさらに回転することにより、前方側へと復帰移動する。
【００６６】
硬貨収納カム部材５１には、背面部５１Ｄにその上端縁と硬貨蓄積空間部６０に跨って開口し、ロックカム部を構成するガイドカム溝６３が形成される。ガイドカム溝６３は、硬貨蓄積空間部６０内に規定枚数の硬貨３が蓄積された状態で、図１０に示すように上側の蓄積硬貨３Ｕがその溝底よりも上方へとやや突出させる深さを以って背面部５１Ｄに形成される。硬貨収納カム部材５１は、後述するようにガイドカム溝６３にロック部材５２のカム凸部６８が係合する。
【００６７】
ロック部材５２は、図１０及至図１２に示すように全体が硬貨収納カム部材５１とほぼ同幅の横長矩形のブロック体からなり、支軸６４、６４と、硬貨ガイド孔６５と、ウェイト（重り）６６を取り付けるウェイト取付凹部６７と、カム凸部６８と、一対のロック凸部６９、６９を有している。ロック部材５２には、図１２に示すように長手方向の両側面部に、前方側の上方に位置して支軸６４、６４が一体に突設され、これら支軸６４、６４を第１シャーシ基板３５と第２シャーシ基板３８に相対して形成した軸孔に嵌合することにより、硬貨収納カム部材５１の上側に位置して片持ち状態で揺動自在に支持される。
【００６８】
ロック部材５２は、硬貨ガイド孔６５が、硬貨３とほぼ同径とされて基端側に位置して厚み方向（高さ方向）に貫通して形成される。ロック部材５２は、硬貨ガイド孔６５が、上面部側において上述した硬貨選別ユニット１８の軌道部１８Ｅと対向して開口されるとともに底面部側において硬貨収納カム部材５１の硬貨蓄積空間部６０と対向して開口される。ロック部材５２は、硬貨ガイド孔６５が、硬貨選別ユニット１８において選別した正規硬貨３を軌道部１８Ｅから受け入れるとともに、この正規硬貨３を硬貨収納カム部材５１の硬貨蓄積空間部６０へと導いて蓄積されるようにする。
【００６９】
ロック部材５２には、ウェイト取付凹部６７が硬貨ガイド孔６５に隣り合って自由端側に位置して形成され、このウェイト取付凹部６７内にウェイト６６を取り付ける。ロック部材５２は、ウェイト６６を設けることにより自由端側を硬貨収納カム部材５１に押し付けるように図１０において時計方向の回動習性が付与される。ロック部材５２は、これにより待機状態においてロック凸部６９の硬貨収納カム部材５１に対する係合習性が付与されるようにする。
【００７０】
ロック部材５２は、カム凸部６８が、図１２に示すように底面部の幅方向の中央部で硬貨ガイド孔６５の開口縁から自由端縁に跨る一体に形成された凸部により構成される。カム凸部６８は、硬貨収納カム部材５１のガイドカム溝６３に相対してその溝幅とほぼ同等の幅を有して形成される。カム凸部６８は、待機状態においてガイドカム溝６３と相対係合することにより、硬貨蓄積空間部６０内に突出した状態となる。
【００７１】
ロック部材５２は、各ロック凸部６９が、底面の自由端部に位置してカム凸部６８を挟んだ両側に一体に形成される。各ロック凸部６９は、ロック部材５２がその底面を硬貨収納カム部材５１の天井部５１Ａ上に重ね合わせて組み合わせた状態で、図１０に示すように硬貨収納カム部材５１に対して背面部５１Ｃのガイドカム溝６３を挟む両側に位置して相対係合する。各ロック凸部６９は、これにより待機状態において硬貨収納カム部材５１のスライド動作を不能とする。
【００７２】
ロック部材５２は、硬貨収納カム部材５１が硬貨蓄積空間部６０内に規定枚数の硬貨３を蓄積した状態で回転操作ダイヤル１２Ａの回転操作に基づくスライド動作が開始されることにより、硬貨３がキーとなって硬貨蓄積空間部６０内に突出したカム凸部６８が上方へと押し上げられる。ロック部材５２は、これにより支軸６４を支点として図１０において反時計方向に回動動作して各ロック凸部６９が背面部５１Ｃとの係合位置から上方位置へと移動することにより硬貨収納カム部材５１のロック状態を解除する。
【００７３】
ロック部材５２は、ロック状態を解除された硬貨収納カム部材５１のスライド動作にしたがって、各ロック凸部６９が背面部５１Ｃから天井部５１Ａ上に乗り上がることで回動した状態を保持される。ロック部材５２は、上述した商品４の送出操作が行われて硬貨収納カム部材５１が初期位置へと復帰することにより、ウェイト６６の作用により支軸６４を支点として時計方向の復帰動作が行われる。ロック部材５２は、各ロック凸部６９が天井部５１Ａ上から背面部５１Ｃに再係合することにより硬貨収納カム部材５１をロック状態に保持する。
【００７４】
機構部４６は、硬貨収納カム部材５１の下方部に硬貨受け部材５３が重ね合わせた状態で組み合わされ、この硬貨受け部材５３により硬貨蓄積空間部６０の底部を開閉する。硬貨受け部材５３は、上述したように顧客の回転操作ダイヤル１２Ａの操作に基づく硬貨収納カム部材５１のスライド動作にしたがって、硬貨蓄積空間部６０内に蓄積した硬貨３を金庫ユニット２０に収納されるようにする。硬貨受け部材５３は、顧客が硬貨３を投入して商品４を購入せずに硬貨返却レバー部材１１Ａを操作した場合に、硬貨蓄積空間部６０内に蓄積した硬貨３を硬貨返却口１３へと導くようにする。硬貨受け部材５３は、硬貨収納カム部材５１の硬貨蓄積空間部６０内に蓄積する硬貨３の蓄積枚数を変更可能とする。
【００７５】
硬貨受け部材５３は、図１０及び図１３に示すように、硬貨受けフレーム部材７０と、この硬貨受けフレーム部材７０に着脱自在に組み合わされる蓄積枚数規定部材７１とから構成する。硬貨受けフレーム部材７０は、全体が硬貨収納カム部材５１とほぼ同幅でかつ大きな長さを有する横長矩形のブロック体からなり、図１０及び図１３に示すように硬貨収納カム部材５１とほぼ同寸法の中央部位７０Ａを挟んで後方部位が硬貨収納部７０Ｂを構成するとともに、前方部位が硬貨返却部７０Ｃを構成する。硬貨受けフレーム部材７０は、硬貨収納部７０Ｂ側の両側面の上方に位置して支軸７２、７２が一体に突設され、これら支軸７２、７２を第１シャーシ基板３５と第２シャーシ基板３８に相対して形成した軸孔に嵌合することにより、硬貨収納カム部材５１の下側に位置して片持ち状態で揺動自在に支持される。
【００７６】
硬貨受けフレーム部材７０には、図１３に示すように中央部位７０Ａから硬貨返却部７０Ｃに跨って、後述するように蓄積枚数規定部材７１を着脱自在に組み合わせる組付開口部７３が高さ方向に貫通して形成される。硬貨受けフレーム部材７０には、組付開口部７３を構成する両側面部に上縁に開口してそれぞれ組付溝７４、７４が相対して形成されるとともに、これら組付溝７４の一方側の溝壁７４Ａ、７４Ａに沿ってそれぞれに弾性を付与するためにスリット７５、７５が形成される。硬貨受けフレーム部材７０には、中央部位７０Ａの底面に円弧状の弾性アーム７６が一体に形成されており、この弾性アーム７６がフレーム体３９の底部に湾曲された状態で突き当てられることにより図１０において支軸７２を支点として時計方向に付勢される。硬貨受けフレーム部材７０は、これにより上面が硬貨収納カム部材５１の底面に突き当てられる。
【００７７】
硬貨受けフレーム部材７０には、硬貨収納部７０Ｂに、図１３に示すように上面と左側面に開口して金庫ユニット２０と連通する側方傾斜軌道を構成する硬貨収納ダクト（第１傾斜面部）７７が形成される。硬貨収納ダクト７７は、後述するように硬貨収納カム部材５１のスライド動作により硬貨蓄積空間部６０内で中央部位７０Ａから硬貨収納部７０Ｂへと押し出される硬貨３を側方へと落下させることにより金庫ユニット２０内に収納されるようにする。
【００７８】
硬貨受けフレーム部材７０は、硬貨返却部７０Ｃが、図１３に示すように前下がり傾斜面として形成されており、その先端部が硬貨返却口１３と対向されることにより第２傾斜面部を構成する。硬貨受けフレーム部材７０には、硬貨返却部７０Ｃを構成する右側面部に水平方向のカム溝７８が形成されており、硬貨返却レバー部材１１Ａの先端部に形成した図示を省略するカムが係合する。硬貨受けフレーム部材７０は、硬貨返却レバー部材１１Ａが操作されると、カム溝７８と係合されたカムを介して弾性アーム７６の弾性力に抗して支軸７２を支点として図１０において反時計方向に回動する。硬貨受けフレーム部材７０は、これにより硬貨収納カム部材５１の硬貨蓄積空間部６０の底部を開放し、この硬貨蓄積空間部６０内に蓄積された硬貨３を硬貨返却部７０Ｃを介して硬貨返却口１３へと落下させる。
【００７９】
硬貨受け部材５３は、上述したように硬貨受けフレーム部材７０に対して蓄積枚数規定部材７１を着脱自在に組み合わせることにより、硬貨蓄積空間部６０内に蓄積する硬貨３の蓄積枚数を変更可能とする。蓄積枚数規定部材７１は、図１３に示すように全体が角柱状に形成されたブロック体であり、各外周面７１Ａ〜７１Ｄが硬貨受けフレーム部材７０の組付開口部７３の開口寸法とほぼ同寸法の外形寸法とされる。蓄積枚数規定部材７１には、幅方向の両側面に硬貨受けフレーム部材７０側の組付溝７４に相対嵌合される矩形断面の組付凸部７９、７９が一体に突設されている。
【００８０】
蓄積枚数規定部材７１は、各外周面７１Ａ〜７１Ｄが組付凸部７９からの間隔を異にして形成されている。蓄積枚数規定部材７１は、組付凸部７９を、溝壁を弾性変形させながら図１３に示すように組付溝７４に嵌合することにより硬貨受けフレーム部材７０に組み合わされる。蓄積枚数規定部材７１は、硬貨受けフレーム部材７０に組み合わせた状態で外周面が中央部位７０Ａから上方へと突出する。蓄積枚数規定部材７１は、図１０に示すように突出した外周面部が硬貨収納カム部材５１の硬貨蓄積空間部６０に嵌合し、その底部を構成して硬貨３を支持する。
【００８１】
蓄積枚数規定部材７１は、各外周面部７１Ａ〜７１Ｄが組付凸部７９からの間隔をそれぞれ異にして形成される。蓄積枚数規定部材７１は、各外周面部７１Ａ〜７１Ｄと組付凸部７９との間隔が、図１３に示すように第１外周面部７１Ａが最も小さくまた第４外周面部７１Ｄが最も大きい。蓄積枚数規定部材７１は、各外周面部７１Ａ〜７１Ｄと組付凸部７９からの間隔を、それぞれ硬貨３の厚み１枚分の差を以って形成する。蓄積枚数規定部材７１は、各外周面部７１Ａ〜７１Ｄが、後述するように硬貨受けフレーム部材７０に組み合わせた状態で硬貨収納部７０Ｂと対向する側を垂直面とするとともに、硬貨返却部７０Ｃと対向する側を前下がり斜面として形成する。蓄積枚数規定部材７１は、各外周面部７１Ａ〜７１Ｄをこのような形状とすることにより、硬貨３の収納及び返却動作が確実に行われるようにする。なお、蓄積枚数規定部材７１には、図１３に示すように外側面に各外周面部７１Ａ〜７１Ｄに対応して指標８０Ａ〜８０Ｄが設けられている。
【００８２】
硬貨受け部材５３においては、上述したように硬貨受けフレーム部材７０に対して蓄積枚数規定部材７１が、突出させる外周面部７１Ａ〜７１Ｄを選択して組付凸部７９を組付溝７４に嵌合することにより組み合わされる。硬貨受け部材５３は、蓄積枚数規定部材７１の突出された外周面部が硬貨収納カム部材５１の硬貨蓄積空間部６０内に嵌合する。硬貨受け部材５３は、第１外周面部７１Ａを選択した場合に硬貨蓄積空間部６０の深さを最大として例えば４枚の硬貨３が蓄積されるようにする。硬貨受け部材５３は、第２外周面部７１Ｂを選択した場合に３枚の硬貨３が蓄積されるようにし、第３外周面部７１Ｃを選択した場合に２枚の硬貨３が蓄積されるようにし、第４外周面部７１Ｄを選択した場合に１枚の硬貨３が蓄積されるようにする。
【００８３】
自動販売機１は、店頭等に多数台が縦横に重ね合わせるように並べて設置され、それぞれの商品収納ユニット１９内に所定の商品４を積層状態で収納する。自動販売機１においては、料金表示ドラム２２を回転操作して料金表示部９において所定の料金が表示されるようにする。自動販売機１においては、硬貨メカニズムユニット２が、機構部４６を構成する硬貨受け部材５３について料金を設定する硬貨受けフレーム部材７０に対する蓄積枚数規定部材７１の組合せ操作が行われる。自動販売機１においては、硬貨受けフレーム部材７０に対して蓄積枚数規定部材７１が突出させる外周面部７１Ａ〜７１Ｄを選択して組み合わすことにより、硬貨収納カム部材５１の硬貨蓄積空間部６０内に蓄積する硬貨３の枚数設定を行う。
【００８４】
自動販売機１においては、硬貨メカニズムユニット２が、ロック部材５２により硬貨収納カム部材５１をロックした状態に保持することにより、回転操作ダイヤル１２Ａの回転操作を不能とした待機状態に保持される。自動販売機１においては、ラチェットカム部材５５の欠歯領域５５Ｂの範囲で回転操作ダイヤル１２Ａを両方向に回転操作することが可能であって子供等に興味を引き付けさせるようにするが、商品４の送出し動作が行われることは無い。自動販売機１においては、ロック部材５２により硬貨収納カム部材５１がロック状態とされ、ロック部材５２の硬貨ガイド孔６５と硬貨収納カム部材５１の硬貨蓄積空間部６０が連通するとともに、硬貨受け部材５３により硬貨蓄積空間部６０の底部が閉塞されている。自動販売機１においては、蓄積枚数規定部材７１の第３外周面部７１Ｃが底部を構成することにより、硬貨蓄積空間部６０が２枚の硬貨３を蓄積可能とするようにその深さを設定される。
【００８５】
自動販売機１においては、顧客により硬貨投入口１０Ａから投入された硬貨３に対して硬貨選別ユニット１８により正否の判定を行う。自動販売機１においては、図６に示すように硬貨選別ユニット１８により選別した疑似硬貨ＮＧを硬貨返却口１３へと導いて返却するとともに、正規硬貨３を硬貨メカニズムユニット２へと導いて硬貨収納カム部材５１の硬貨蓄積空間部６０内に蓄積する。自動販売機１においては、硬貨メカニズムユニット２内に既に２枚の硬貨３が蓄積された状態で顧客によりさらに硬貨３の投入を行うと、余剰硬貨として硬貨返却口１３へと導いて返却する。
【００８６】
自動販売機１においては、上述した正規の硬貨投入を行い、図１０に示すように硬貨収納カム部材５１の硬貨蓄積空間部６０内に２枚の硬貨３が蓄積された状態で、硬貨メカニズムユニット２が顧客による回転操作ダイヤル１２Ａの回転操作を可能な状態とする。自動販売機１においては、図１４矢印で示すように回転操作ダイヤル１２Ａを回転操作すると、硬貨蓄積空間部６０内の２枚の硬貨３をキーとしてロック部材５２が支軸６４を支点として反時計方向に押し上げられて硬貨収納カム部材５１のロック状態が解除されるようにするとともに回転操作ダイヤル１２Ａをさらに回転操作することを可能とする。
【００８７】
自動販売機１においては、回転操作ダイヤル１２Ａの回転操作に基づいて直交変換歯車機構４８を介して駆動軸３２が回転し、図４に示すようにこの駆動軸３２に固定した商品送出カム部材３３が商品収納ユニット１９の商品収納空間部２８から最下段の商品４を商品取出部１４へと送り出す動作を行う。自動販売機１においては、顧客により商品取出口１４Ａに送り出された商品４の取出が行われる。
【００８８】
自動販売機１においては、上述したように回転操作ダイヤル１２Ａの回転操作に基づいて直交変換歯車機構４８を介して駆動軸３２が回転し、この駆動軸３２と一体にラチェットカム部材５５も回転して硬貨メカニズムユニット２において蓄積した硬貨３の収納動作が行われるようにする。自動販売機１においては、ラチェットカム部材５５の偏心カム部５８に係合されたカムピン５９Ａを介して硬貨収納カム部材５１が図１４に示すように後方へとスライド動作する。自動販売機１においては、これにより硬貨収納カム部材５１の硬貨蓄積空間部６０が、硬貨受け部材５３に対してその蓄積枚数規定部材７１と対向する位置から硬貨収納ダクト７７と対向する位置へと移動する。自動販売機１においては、硬貨蓄積空間部６０が底部を開放されることにより内部に蓄積した硬貨３を硬貨収納ダクト７７へと落下させて、金庫ユニット２０内に収納されるようにする。
【００８９】
自動販売機１においては、硬貨蓄積空間部６０に硬貨３を収納した状態で、硬貨返却レバー部材１１Ａをスライド操作することにより、硬貨３を硬貨返却口１３から返却する。自動販売機１においては、硬貨返却レバー部材１１Ａを押し下げると、図１５に示すように硬貨受け部材５３を構成する硬貨受けフレーム部材７０が支軸７２を支点として同図において反時計方向に回動して硬貨蓄積空間部６０の底部を開放する。自動販売機１においては、蓄積されていた硬貨３が蓄積枚数規定部材７１の外側面部上から硬貨返却部７０Ｃに沿って硬貨返却口１３へと落下することで返却が行われる。
【００９０】
自動販売機１においては、回転操作ダイヤル１２Ａが１回転されると、上述した動作を行った商品送出カム部材３３や硬貨収納カム部材５１等の各部材が初期位置へと復帰して待機状態となる。自動販売機１においては、硬貨収納カム部材５１が後方にスライドした位置から前方の初期位置まで復帰動作すると、硬貨３により押し上げられたロック部材５２が復帰することによりそのロック凸部６９によりロックされる。自動販売機１においては、この硬貨収納カム部材５１の再ロック状態により、回転操作ダイヤル１２Ａの回転操作も不能とされる。
【００９１】
ところで、自動販売機１においては、上述した硬貨メカニズムユニット２を備えることにより、簡易な対応によって商品４を取り出す際の回転操作ダイヤル１２Ａの回転方向を変更することが可能である。硬貨メカニズムユニット２は、詳細を後述するように第１シャーシ基板３５に対してラチェットレバー部材５６を支持する支軸５６Ａの取付部と、ダイヤル戻しバネ部材５７の取付部及び掛合せ部とが予め複数箇所に形成される。
【００９２】
図１６に示した第１操作部態様８５は、上述した実施の形態として示した自動販売機１の態様であり、前面板３６に回転操作ダイヤル１２Ａと硬貨返却レバー部材１１Ａの操作部１１Ｂを配置する。第１操作部態様８５は、回転操作ダイヤル１２Ａの操作軸４７と直交変換歯車機構４８により結合されて第１シャーシ基板３５を貫通された駆動軸３２にラチェットカム部材５５を固定し、ラチェットカム部材５５に対して後方上部にラチェットレバー部材５６を配置するとともにこのラチェットレバー部材５６と中心軸対象位置にダイヤル戻しバネ部材５７を配置する。
【００９３】
第１操作部態様８５は、待機状態においてラチェットカム部材５５がその欠歯領域５５Ｂをラチェットレバー部材５６と対向して後方上部に位置されるようにする。かかる第１操作部態様８５においては、回転操作ダイヤル１２Ａを時計方向に回転（右回転）することにより、ラチェットカム部材５５が反時計方向に回転して駆動軸３２を介して商品４の送出し動作が行われるように構成される。
【００９４】
図１７に示した第２操作部態様８６も、上述した第１操作部態様８５と同様に前面板３６に回転操作ダイヤル１２Ａと硬貨返却レバー部材１１Ａの操作部１１Ｂを配置する。第２操作部態様８６は、上述した第１操作部態様８５の配置から、駆動軸３２に対するラチェットカム部材５５の固定位置を変えるとともに、第１シャーシ基板３５に対してラチェットレバー部材５６とダイヤル戻しバネ部材５７の配置位置を組み替えて構成する。第２操作部態様８６においては、ラチェットカム部材５５に対して前方上部に反転した状態でラチェットレバー部材５６を配置するとともにこのラチェットレバー部材５６と中心軸対象位置に反転した状態でダイヤル戻しバネ部材５７を配置する。
【００９５】
第２操作部態様８６は、待機状態においてラチェットカム部材５５がその欠歯領域５５Ｂをラチェットレバー部材５６と対向して前方上部に位置されるようにする。かかる第１操作部態様８５においては、回転操作ダイヤル１２Ａを反時計方向に回転（左回転）することにより、ラチェットカム部材５５が時計方向に回転して駆動軸３２を介して商品４の送出し動作が行われるように構成される。
【００９６】
自動販売機１においては、上述したように前面板３６に回転操作ダイヤル１２Ａを配置して構成したが、上述した硬貨メカニズムユニット２を備えることにより、簡易な対応によって第１シャーシ基板３５を前面側としたいわゆる横型仕様として構成することも可能である。なお、自動販売機１においては、かかる横型仕様として構成する場合に、回転操作ダイヤル１２Ａのみを横配置し或いは回転操作ダイヤル１２Ａとともに料金表示部９や硬貨返却口１３或いは硬貨返却口１３や商品取出部１４も前面側に配置するように構成してもよいが、基本的な構成を同様とすることからそれらの説明については省略する。
【００９７】
図１８に示した横型仕様の第１操作部態様９０は、第１シャーシ基板３５に回転操作ダイヤル１２Ａと硬貨返却レバー部材１１Ａの操作部１１Ｂを配置する。第１操作部態様９０は、例えば操作軸４７と直交変換歯車機構４８を不要とし、第１シャーシ基板３５に軸受けされて外方へと貫通されてラチェットカム部材５５を固定した駆動軸３２を延長して筐体５の側面を貫通させ、外部に突出された駆動軸３２に回転操作ダイヤル１２Ａを固定した直結構造とする。
【００９８】
第１操作部態様９０においては、ラチェットカム部材５５に対して前方上部にラチェットレバー部材５６を配置するとともにこのラチェットレバー部材５６と中心軸対象位置に反転した状態でダイヤル戻しバネ部材５７を配置する。第２操作部態様８６は、待機状態においてラチェットカム部材５５がその欠歯領域５５Ｂをラチェットレバー部材５６と対向して前方上部に位置されるようにする。かかる第１操作部態様９０においては、回転操作ダイヤル１２Ａを時計方向に回転（右回転）することにより、直結した駆動軸３２も時計方向に回転して商品４の送出し動作が行われるように構成される。
【００９９】
図１９に示した横型仕様の第２操作部態様９１も、駆動軸３２に回転操作ダイヤル１２Ａを直結した構造であり、上述した第１操作部態様９０の配置から、硬貨返却レバー部材１１Ａの操作部１１Ｂを前面板３６に配置する。第２操作部態様９１は、駆動軸３２に対するラチェットカム部材５５の固定位置を変えるとともに、第１シャーシ基板３５に対してラチェットレバー部材５６とダイヤル戻しバネ部材５７の配置位置を組み替えて構成する。
【０１００】
第２操作部態様９１においては、ラチェットカム部材５５に対して後方上部にラチェットレバー部材５６を配置するとともにこのラチェットレバー部材５６と中心軸対象位置にダイヤル戻しバネ部材５７を配置する。第２操作部態様９１においては、待機状態においてラチェットカム部材５５がその欠歯領域５５Ｂをラチェットレバー部材５６と対向して後方上部に位置されるようにする。かかる第２操作部態様９１においては、回転操作ダイヤル１２Ａを反時計方向に回転（左回転）することにより、駆動軸３２も反時計方向に回転して商品４の送出し動作が行われるように構成される。
【０１０１】
図２０に示した横型仕様の第３操作部態様９３は、上述した第１操作部態様９０と同様に第１シャーシ基板３５に回転操作ダイヤル１２Ａと硬貨返却レバー部材１１Ａの操作部１１Ｂを配置する。第３操作部態様９３は、詳細を省略するが回転操作ダイヤル１２Ａと直交する側方に商品収納ユニット１９が配置されており、駆動軸３２と回転操作ダイヤル１２Ａの操作軸４７とが直交変換歯車機構４８を介して連結される。
【０１０２】
第３操作部態様９３においては、図示を省略するが操作軸４７が第１シャーシ基板３５に軸受けされて外方へと貫通されており、この操作軸４７に回転操作ダイヤル１２Ａとともにラチェットカム部材５５も固定される。第３操作部態様９３においては、ラチェットカム部材５５に対して後方上部にラチェットレバー部材５６を配置するとともにこのラチェットレバー部材５６と中心軸対象位置にダイヤル戻しバネ部材５７を配置する。第３操作部態様９３においては、待機状態においてラチェットカム部材５５がその欠歯領域５５Ｂをラチェットレバー部材５６と対向して後方上部に位置されるようにする。かかる第３操作部態様９３においては、回転操作ダイヤル１２Ａを反時計方向に回転（左回転）することにより、駆動軸３２が時計方向に回転して商品４の送出し動作が行われるように構成される。
【０１０３】
図２１に示した横型仕様の第４操作部態様９４は、上述した第２操作部態様９１と同様に硬貨返却レバー部材１１Ａの操作部１１Ｂを前面板３６に配置する。第４操作部態様９４も、駆動軸３２に回転操作ダイヤル１２Ａを直結した構造であり、上述した第２操作部態様９１の仕様から駆動軸３２に対するラチェットカム部材５５の固定位置を変えるとともに、第１シャーシ基板３５に対してラチェットレバー部材５６とダイヤル戻しバネ部材５７の配置位置を組み替えて構成する。
【０１０４】
第４操作部態様９４は、回転操作ダイヤル１２Ａと直交する側方に商品収納ユニット１９が配置されており、駆動軸３２と回転操作ダイヤル１２Ａの操作軸４７とが直交変換歯車機構４８を介して連結される。第４操作部態様９３においては、操作軸４７に回転操作ダイヤル１２Ａとともに固定されたラチェットカム部材５５に対して、前方上部にラチェットレバー部材５６を配置するとともにこのラチェットレバー部材５６と中心軸対象位置にダイヤル戻しバネ部材５７を配置する。第４操作部態様９４においては、待機状態においてラチェットカム部材５５がその欠歯領域５５Ｂをラチェットレバー部材５６と対向して前方上部に位置されるようにする。かかる第４操作部態様９４においては、回転操作ダイヤル１２Ａを時計方向に回転（右回転）することにより、駆動軸３２が反時計方向に回転して商品４の送出し動作が行われるように構成される。
【０１０５】
硬貨メカニズムユニット２においては、硬貨収納カム部材５１の硬貨蓄積空間部６０内に蓄積する硬貨３の蓄積枚数を硬貨受け部材５３を構成する硬貨受けフレーム部材７０に対して蓄積枚数規定部材７１が外周面部７１Ａ〜７１Ｄを選択して組み合わすことにより規定するようにしたが、本発明はかかる構成に限定されないことは勿論である。
【０１０６】
図２２に示した機構部１００は、基本的な構成を上述した硬貨受けフレーム部材７０と同様とする硬貨受けフレーム部材１０２に対してネジ型の蓄積枚数調整部材１０３を組み合わせて硬貨受け部材１０１を構成したものである。機構部１００も、上述したように硬貨受け部材１０１が硬貨収納カム部材５１とロック部材５２に対して重ね合わせ状態で組み合わされて硬貨蓄積空間部６０の底部を閉塞するとともに、この硬貨蓄積空間部６０内への蓄積枚数調整部材１０３の突出量を硬貨受けフレーム部材１０２を介して調整することにより硬貨３の蓄積枚数を規定する。
【０１０７】
硬貨受けフレーム部材１０２も、中央部位１０２Ａと硬貨収納部１０２Ｂと硬貨返却部１０２Ｃとから構成された横長矩形のブロック体からなり、硬貨収納部１０２Ｂ側の両側面の上方に位置して一体に突設された支軸１０４を第１シャーシ基板３５と第２シャーシ基板３８に相対して形成した軸孔に嵌合することにより、硬貨収納カム部材５１の下側に位置して片持ち状態で揺動自在に支持される。硬貨受けフレーム部材１０２には、中央部位１０２Ａに蓄積枚数調整部材１０３を高さ方向に移動自在に組み合わせる内周ネジを有する組付ネジ孔１０５が、硬貨収納カム部材５１の硬貨蓄積空間部６０と対向して高さ方向に貫通して形成される。
【０１０８】
硬貨受けフレーム部材１０２にも、硬貨収納部１０２Ｂに金庫ユニット２０と連通する硬貨収納ダクト１０６が形成され、硬貨収納カム部材５１のスライド動作により硬貨蓄積空間部６０内で中央部位１０２Ａから硬貨収納部１０２Ｂへと押し出される硬貨３を側方へと落下させる。硬貨受けフレーム部材１０２も、硬貨返却部１０２Ｃが硬貨返却口１３と対向される前下がり傾斜面として形成されるとともにカム溝７８が形成されており、硬貨返却レバー部材１１Ａの操作により回動されて硬貨蓄積空間部６０内に蓄積された硬貨３を硬貨返却口１３へと落下させる。なお、硬貨受けフレーム部材１０２にも、図示を省略するが底面に弾性アームを一体に形成して上面が硬貨収納カム部材５１の底面に突き当てられるようにする。
【０１０９】
蓄積枚数調整部材１０３は、硬貨受けフレーム部材１０２の組付ネジ孔１０５とほぼ同径の丸棒状の部材であり、外周部に組付ネジ孔１０５の内周ネジにねじ込まれる外周ネジが形成されたネジ部１０３Ａと、このネジ部１０３Ａと同軸の操作部１０３Ｂとから構成される。蓄積枚数調整部材１０３は、その先端部が硬貨受けフレーム部材１０２の中央部位１０２Ａを介して硬貨収納カム部材５１の硬貨蓄積空間部６０内へと突出することにより、この硬貨蓄積空間部６０の底部を閉塞して硬貨３の受け面を構成する。
【０１１０】
硬貨受け部材１０１においては、管理者が適宜の治具を用いて硬貨受けフレーム部材１０２に対して蓄積枚数調整部材１０３を上下方向に移動させることにより、硬貨収納カム部材５１の硬貨蓄積空間部６０内における硬貨３の蓄積枚数が変更されるようにする。硬貨受け部材１０１においては、図２２（Ａ）において矢印で示すように操作部１０３Ｂを反時計方向に回すと、外周ネジと内周ネジの噛み合いによって蓄積枚数調整部材１０３が硬貨受けフレーム部材１０２に対してその組付ネジ孔１０５内を上方へと移動する。硬貨受け部材１０１においては、蓄積枚数調整部材１０３の先端部が硬貨収納カム部材５１の硬貨蓄積空間部６０内に大きく突出する。硬貨受け部材１０１においては、蓄積枚数調整部材１０３の先端部を硬貨蓄積空間部６０の開口縁に対して硬貨３の２枚分の厚みとほぼ同等の高さ位置に設定することにより、硬貨蓄積空間部６０に２枚の硬貨３が蓄積されるようにする。
【０１１１】
硬貨受け部材１０１においては、図２２（Ｂ）において矢印で示すように操作部１０３Ｂを時計方向に回すと、外周ネジと内周ネジの噛み合いによって蓄積枚数調整部材１０３が硬貨受けフレーム部材１０２に対してその組付ネジ孔１０５内を下方へと移動する。硬貨受け部材１０１においては、これにより硬貨収納カム部材５１の硬貨蓄積空間部６０内に大きく突出していた蓄積枚数調整部材１０３の先端部が次第に退出する。硬貨受け部材１０１においては、蓄積枚数調整部材１０３の先端部を硬貨受けフレーム部材１０２の中央部位１０２Ａと略同一面を構成するまで下降させることにより、硬貨蓄積空間部６０に８枚の硬貨３が蓄積されるようにする。
【０１１２】
硬貨受け部材１０１においては、上述したように硬貨受けフレーム部材１０２と、この硬貨受けフレーム部材１０２に対してネジ操作により上下方向に調整移動される蓄積枚数調整部材１０３を組み合わせることにより、硬貨蓄積空間部６０内に蓄積する硬貨３の枚数を１枚から８枚まで任意に設定することが可能となる。
【０１１３】
本発明にかかる硬貨メカニズムユニット装置は、上述した実施の形態として示した自動販売機１に限定されず、駆動軸３２を介して商品４の送り出しを行う各種自動販売機にも適用可能である。硬貨メカニズムユニット装置は、例えば従来のカプセル型商品を販売するワンコイン型自動販売機にもその硬貨メカニズムユニットと交換して用いられることにより、高額商品化の対応を図ることを可能とする。本発明は、特許請求の範囲に記載した各構成について、その技術範囲を逸脱しない範囲で適宜変更、展開されることは勿論である。
【図面の簡単な説明】
【０１１４】
【図１】小型自動販売機の正面図である。
【図２】前扉を取り外して内部構造を示した自動販売機の正面図である。
【図３】前扉を開いて内部構造を示した自動販売機の斜視図である。
【図４】商品収納部から商品の送出し動作を行う説明図である。
【図５】実施の形態として示す自動販売機に組み付けられる硬貨メカニズムユニットの要部斜視図である。
【図６】硬貨メカニズムユニットの内部構造と硬貨の流れを説明する図である。
【図７】硬貨メカニズムユニットに備える直交変換歯車機構と回転方向規制機構を説明する要部斜視図である。
【図８】回転方向規制機構を説明する一部切欠き要部側面図である。
【図９】回転方向規制機構と偏心カム部の構成を説明する要部側面図である。
【図１０】機構部の構成を説明する断面図である。
【図１１】機構部を構成する硬貨収納カム部材を示し、同図（Ａ）は斜視図、同図（Ｂ）は平面図である。
【図１２】機構部を構成するロック部材を示し、同図（Ａ）は斜視図、同図（Ｂ）は底面図である。
【図１３】機構部を構成する硬貨受け部材を示す分解斜視図である。
【図１４】硬貨メカニズムユニットにおける硬貨収納動作を説明する第２シャーシ基板を取り外して示す要部側面図である。
【図１５】硬貨返却動作を説明する要部側面図である。
【図１６】縦型仕様の硬貨メカニズムユニットの第１操作部態様を示し、同図（Ａ）は正面図、同図（Ｂ）は側面図である。
【図１７】縦型仕様の硬貨メカニズムユニットの第２操作部態様を示し、同図（Ａ）は正面図、同図（Ｂ）は側面図である。
【図１８】横型仕様の硬貨メカニズムユニットの第１操作部態様を示し、同図（Ａ）は正面図、同図（Ｂ）は側面図である。
【図１９】横型仕様の硬貨メカニズムユニットの第２操作部態様を示し、同図（Ａ）は正面図、同図（Ｂ）は側面図である。
【図２０】横型仕様の硬貨メカニズムユニットの第３操作部態様を示し、同図（Ａ）は正面図、同図（Ｂ）は側面図である。
【図２１】横型仕様の硬貨メカニズムユニットの第４操作部態様を示し、同図（Ａ）は正面図、同図（Ｂ）は側面図である。
【図２２】硬貨蓄積空間部に蓄積する硬貨の枚数を可変とする機構部の第２の実施の形態を示す一部切欠き要部側面図であり、同図（Ａ）は２枚蓄積仕様、同図（Ｂ）は８枚蓄積仕様に設定した状態を示す。
【符号の説明】
【０１１５】
１  自動販売機、２  硬貨メカニズムユニット、３、硬貨、４  商品、５  筐体、９  料金表示部、１０  硬貨投入口、１１  硬貨返却操作部、１２  商品取出操作部、１２Ａ  回転操作ダイヤル、１３  硬貨返却口、１４  商品取出部、１８  硬貨選別ユニット、１９  商品収納ユニット、２０  金庫ユニット、２８  商品収納空間部、３１  商品送出機構、３２  駆動軸、３３  商品送出カム部材、３５  第１シャーシ基板、３６  前面板、３７  背面板、３８  第２シャーシ基板、３９  フレーム体、４０  硬貨選別ユニット組合せ空間部、４１  メカニズム組付空間部、４４  スロット部材、４５  ガイド溝、４６  機構部、４７  操作軸、４８  直交変換歯車機構、４９  第１傘歯車、５０  第２傘歯車、５１  硬貨収納カム部材、５２  ロック部材、５３  硬貨受け部材、５４  回転方向規制機構、５５  ラチェットカム部材、５５Ａ  ラチェット歯、５５Ｂ  欠歯領域、５６  ラチェットレバー部材、５７  ダイヤル戻しバネ部材、５８  偏心カム部、５９  カムリブ、５９Ａ  カムピン、６０  硬貨蓄積空間部、６３  ガイドカム溝、６４  支軸、６５  硬貨ガイド孔、６６  ウェイト、６８  カム凸部、６９  ロック凸部、７０  硬貨受けフレーム部材、７１  蓄積枚数規定部材、７２  支軸、７３  組付開口部、７６  弾性アーム、７７  硬貨収納ダクト、７８  カム溝、７９  組付凸部、８５  縦型仕様第１操作部態様、８６  縦型仕様第２操作部態様、９０  横型仕様第１操作部態様、９２  横型仕様第２操作部態様、９３  横型仕様第３操作部態様、９４  横型仕様第４操作部態様、１００  機構部、１０１  硬貨受け部材、１０２  硬貨受けフレーム部材、１０３  蓄積枚数調整部材
【図１】
2009223667.tif 000003
【図２】
2009223667.tif 000004
【図３】
2009223667.tif 000005
【図４】
2009223667.tif 000006
【図５】
2009223667.tif 000007
【図６】
2009223667.tif 000008
【図７】
2009223667.tif 000009
【図８】
2009223667.tif 000010
【図９】
2009223667.tif 000011
【図１０】
2009223667.tif 000012
【図１１】
2009223667.tif 000013
【図１２】
2009223667.tif 000014
【図１３】
2009223667.tif 000015
【図１４】
2009223667.tif 000016
【図１５】
2009223667.tif 000017
【図１６】
2009223667.tif 000018
【図１７】
2009223667.tif 000019
【図１８】
2009223667.tif 000020
【図１９】
2009223667.tif 000021
【図２０】
2009223667.tif 000022
【図２１】
2009223667.tif 000023
【図２２】
2009223667.tif 000024